(57)【要約】【課題】  小型のセクタであっても精度よくロータに取り付けることができるセクタの取付構造及びこの取付構造を用いたカメラ用セクタ駆動装置を提供する。【解決手段】  電磁アクチュエータを構成するロータ（５）とセクタ（６）との間に嵌合手段を有するセクタの取付構造で、ロータ（５）に設けた回転軸（５ａ）及び嵌合凸部（９）と、この回転軸及び嵌合凸部に嵌合するセクタ（６）に設けた嵌合穴（１０）とからなる。【選択図】          図２
2006058500.tif 000002
【特許請求の範囲】
【請求項１】
電磁アクチュエータを構成するロータに、前記ロータに駆動されて揺動するセクタを取り付ける構造であって、前記ロータには、前記ロータの回転軸と一体成形されて前記回転軸からその半径方向に突出した嵌合凸部が設けられており、前記セクタには、前記回転軸及び前記嵌合凸部と嵌合する嵌合穴が設けられたことを特徴とするセクタの取付構造。
【請求項２】
請求項１において、前記ロータは円筒状磁石部と前記回転軸とが別体となっていることを特徴とするセクタの取付構造。
【請求項３】
開口を備えた基板と、
前記開口を開閉するため揺動するセクタと、
前記セクタを揺動させるアクチュエータとを有し、
前記アクチュエータのロータには、前記ロータの回転軸と一体成形されて前記回転軸からその半径方向に突出した嵌合凸部が設けられており、
前記セクタには、前記回転軸及び前記嵌合凸部と嵌合する嵌合穴が設けられている
ことを特徴とするカメラ用セクタ駆動装置。
【請求項４】
請求項３に記載のカメラ用セクタ駆動装置おいて、前記セクタと連動して前記開口の開閉を行う他のセクタを有することを特徴とするカメラ用セクタ駆動装置。
【請求項５】
請求項３又は４に記載のカメラ用セクタ駆動装置おいて、前記ロータには、前記セクタを載置するセクタ載置部が一体的に設けられていることを特徴とするカメラ用セクタ駆動装置。
【請求項６】
請求項４又は５において、前記ロータに取り付けた前記セクタと前記他のセクタとの間に板体を介装したことを特徴とするカメラ用セクタ駆動装置。
【請求項７】
請求項６に記載のカメラ用セクタ駆動装置において、前記板体は、前記セクタ載置部が設けられている側と逆の面側に突起部が設けられていることを特徴とするカメラ用セクタ駆動装置。
【発明の詳細な説明】
【技術分野】
【０００１】
本発明は、カメラのシャッタ羽根や絞り羽根となるセクタの取付構造及びカメラ用セクタ駆動装置に関する。
【背景技術】
【０００２】
カメラのシャッタ羽根や絞り羽根に用いるセクタには、コイルに通電し、ステータに生じた磁界によってロータを回動させ、この回動動作を利用してシャッタ羽根、絞り羽根を回動させてシャッタ開口の開閉、絞りの調節を行うものがある。このようなセクタの中にはロータとセクタとを一体化したものがあり、ロータとセクタとの一体化の手段として接着剤を用いることがある。特許文献１にはロータとセクタとを接着剤を用いて一体化したカメラ用シャッタが記載されている。また、セクタにはロータからの回転力を伝えるレバーとの係合部が設けられている特許文献２のタイプのものも広く用いられている。この係合部はセクタの回転中心とは異なる位置に回転中心とは別に設けられている。
【０００３】
【特許文献１】実開平３−１０８２０９号公報
【特許文献２】実開平４−２７４３０号公報
【発明の開示】
【発明が解決しようとする課題】
【０００４】
しかしながら、特許文献１に記載されたようなロータとセクタとを接着剤を用いて一体化したものには以下のような不都合があった。
近年、カメラは益々小型化が進み、携帯電話と一体化したものも多数存在する。このようにカメラの小型化が進むと、これに伴ってカメラの構成要素であるロータやセクタも当然に小型化してくる。ロータやセクタの小型化が進行すると、適切な箇所に接着剤を塗布することが困難となり、精密な工作も困難となる。さらに、ロータやセクタに用いる材料によっては特殊な接着剤を準備しなければならないこともあり、面倒であった。また、セクタにはその表面に反射防止加工を施す場合があるが、この反射防止加工がロータとセクタとの接着を困難なものとしていた。
また、セクタの回転中心とレバーとの係合部とが別々に設けられているものは、セクタには回転中心と係合部との２ヶ所に穴を設けることになり、セクタの回転中心に対する係合部の位置に誤差が生じ、シャッタスピードや絞り開口精度に悪影響を与えるおそれがあった。
【０００５】
そこで本発明は、小型化したロータ及びセクタであっても容易にロータへのセクタの取り付けを行うことができるセクタの取付構造及びこの取付構造を用いたカメラ用セクタ駆動装置を提供することを目的とする。
【課題を解決するための手段】
【０００６】
かかる目的を達成するための本発明のセクタの取付構造は、電磁アクチュエータを構成するロータに、前記ロータに駆動されて揺動するセクタを取り付ける構造であって、ロータには、ロータの回転軸と一体成形されて回転軸からその半径方向に突出した嵌合凸部が設けられており、セクタには、回転軸及び嵌合凸部と嵌合する嵌合穴が設けられたことを特徴とする（請求項１）。
【０００７】
また、ロータは円筒状磁石部と回転軸とが別体となる構成とするようにしてもよい（請求項２）。
【０００８】
従来行っているように接着剤を用いてロータにセクタを取り付けた場合、ロータとセクタとは一体をなすが、ロータとセクタとは、ロータの揺動に伴ってセクタが揺動する関係を有していれば良い。そこで、前記のように前記ロータに嵌合凸部を設け、これに嵌合する嵌合穴を前記セクタに設ければ、ロータの揺動に伴って、セクタを揺動させることができる。また、ロータの嵌合凸部と回転軸とが一体に設けられ、セクタには１つの嵌合穴を設ければいいので、ロータの回転軸とロータの回転力を伝えるレバーとの係合部とが別々に設けられているセクタよりもロータとの位置精度がよく、シャッタスピードや絞り開口精度を高精度に制御することができる。また、ロータは、回転軸と磁石部とが必ずしも一体成形品でなくても良く、例えば樹脂製の軸材に嵌着等により磁石を組み込むこともできる。このようにすれば、加工性や耐摩耗性を重視して軸材を選定することができる。
以上のようなセクタの取付構造を用いてロータにセクタを取り付けたものは、カメラ用の回動部品、例えば、カメラ用のシャッタ羽根や絞り羽根として用いることができる。
【０００９】
本発明のカメラ用セクタ駆動装置は、開口を備えた基板と、前記開口を開閉するため揺動するセクタと、セクタを揺動させるアクチュエータとを有し、アクチュエータのロータには、ロータの回転軸と一体成形されて回転軸からその半径方向に突出した嵌合凸部が設けられており、セクタには、回転軸及び嵌合凸部と嵌合する嵌合穴が設けられている（請求項３）。また、前記セクタと連動して開閉を行う他のセクタとを有するようにしてもよい（請求項４）。
【００１０】
前記のようなセクタの取付構造を用いたカメラ用セクタ駆動装置であれば、小型のセクタであっても精度よくロータとの位置決めができ、小型のカメラ用セクタ駆動装置にも対応することができる。
【００１１】
ロータにセクタを取り付けるため、例えば、ロータに設けた嵌合凸部と、これに嵌合するセクタに設けた嵌合穴とを設ける場合、セクタの形状によっては、前記他のセクタの作動領域が嵌合凸部と干渉することがある。そこで、ロータにセクタを載置するセクタ載置部を一体に設けたり（請求項５）、前記ロータに取り付けたセクタと前記他のセクタとの間に板体を介装する（請求項６）ことによって、前記他のセクタの作動領域が嵌合凸部と干渉することを解消することができる。
なお、ロータに取り付けるセクタの厚みを調節することで他のセクタの作動領域が嵌合凸部と干渉することを解消することも考えられるが、セクタを厚くするとセクタのスピードが鈍り、また、アクチュエータの消費電力も大きくなってしまう。また、板体を介装する構成の方が板体の厚みの調節等が容易であり、設計の自由度も大きく、カメラ用セクタ駆動装置へ適用が容易である。
【発明の効果】
【００１２】
本発明によれば、回転軸と嵌合部とが一体に設けられているので、小型のセクタであっても精度良くロータに取り付けることができる。
【発明を実施するための最良の形態】
【００１３】
以下、本発明を実施するための最良の形態を図面と共に詳細に説明する。
【実施例１】
【００１４】
図１は、本発明のカメラ用セクタ駆動装置１の分解斜視図である。このカメラ用セクタ駆動装置１は、シャッタ開口２ａを備えた基板２と、ステータ３とロータ５とからなる電磁アクチュエータと、ロータ５に取り付けられる第一セクタ６と、第一セクタ６と連動してシャッタ開口２ａの開閉を行う第二セクタ７とを有する。また、順次組みつけられるこれらの構成部品の脱落を防止する羽根押え板１１を有している。第一セクタ６、第二セクタ７は、それぞれシャッタ羽根に相当する。
【００１５】
ロータ５はマグネット製の一体成形品であり、ロータ５の回転軸５ａと嵌合凸部９を備えている。このロータ５は、回転軸５ａの一端側をロータ５の摺動性向上の機能を有する環状平板４を介して基板２に設けた軸穴１３に支持させるとともに、他端側を羽根押え板１１に設けた軸穴１４に支持させて基板２に取り付けられる。このように基板２に取り付けられるロータ５は、ステータ３のコイル３ａに通電することによって回動する。ここで、ロータ５には第一セクタ６が取り付けられ、ロータ５と第一セクタ６はともに回動するが、このようにロータ５の回動に伴って第一セクタ６を回動させるための、ロータ５への第一セクタ６を取り付ける取付構造について詳説する。
【００１６】
図２は、ロータ５と第一セクタ６の拡大斜視図である。ロータ５は、回転軸５ａと一体の小判形の嵌合凸部９を備え、一方の第一セクタ６は、回転軸５ａ及び嵌合凸部９と嵌合できる形状で第一セクタ６の回転中心を含んだ領域で形成される嵌合穴１０を備えている。図３は、カメラ用セクタ駆動装置１から羽根押え板１１を取り去った状態の平面図であり、図４は、カメラ用セクタ駆動装置１のロータ５部分の拡大断面図であるが、第一セクタ６は、図３及び図４に示すように１つの嵌合穴１０に軸５ａと嵌合凸部９を挿通させることによってロータ５に取り付けられる。このようにロータ５からの回転力が伝えられる嵌合穴１０がセクタ６の回転中心を含む１つの穴で形成されているので、セクタ６の回転中心と嵌合穴１０との位置精度がよく、ロータ５と第一セクタとを接着しなくても、ロータ５を揺動させたときに同時に第一セクタ６を揺動させることができる。すなわち、単なる円柱状の回転軸５ａを第一セクタ６に設けた穴に挿通させるだけでは、ロータ５の動きを第一セクタ６に伝達することはできないが、回転止めの役割を果たす嵌合凸部９を設けることにより第一セクタ６をロータ５とともに揺動させることができる。
【００１７】
このようにロータ５に取り付けられた第一セクタ６は、図４中、点線円で囲み、矢印１５で示した箇所で嵌合凸部９の上面が羽根押え板１１に当接していることから、ロータ５から脱落することはない。
【００１８】
以上のようにロータ５に取り付けられ、ロータ５とともに揺動する第一セクタ６にはピン８が取り付けられる。このピン８は第一セクタ６の揺動に伴って第二セクタ７に設けた溝７ａの両縁部間で移動するものである。溝７ａを有する第二セクタ７は基板２に設けた軸１２を軸穴７ｂへ挿通させて基板２に取り付ける。このように基板２に取り付けられる第二セクタ７は、ピン８が溝７ａのいずれかの縁部に当接することにより、第一セクタ６と連動して軸１２回りで揺動する。
【実施例２】
【００１９】
次に、本発明の実施例２につき、図５から図８を参照しつつ説明する。図５は、実施例２のカメラ用セクタ駆動装置２１の分解斜視図であり、図６はカメラ用セクタ駆動装置２１の断面図である。また、図７はカメラ用セクタ駆動装置２１に用いるロータ２５の拡大斜視図であり、図８は、カメラ用セクタ駆動装置２１に用いる抜け止め板２４の拡大斜視図である。
【００２０】
カメラ用セクタ駆動装置２１は、シャッタ開口２２ａを備えた基板２２と、ステータ２３とロータ２５からなる電磁アクチュエータと、ロータ２５に取り付けられる第一セクタ２６と、第一セクタ２６と連動してシャッタ開口２２ａの開閉を行う第二セクタ２７とを有する。また、順次組みつけられるこれらの構成部品の脱落を防止する羽根押え板３１を有している。
【００２１】
以上の点は、実施例１のカメラ用セクタ駆動装置１と同様である。また、ロータ２５が回転軸２９ａと小判形の嵌合凸部２９を一体に備えるとともに第一セクタ２６が回転軸２９ａと嵌合凸部２９に嵌合するようにセクタ２６の回転中心を含んだ領域に設けられる嵌合穴３０を備え、嵌合穴３０に嵌合凸部２９を挿通させることによってロータ２５に第一セクタ２６を取り付けている点も同様である。さらに、第一セクタ２６がピン２６ａを備え、このピン２６ａが第二セクタ２７の穴２７ａに嵌合して、第二セクタ２７が第一セクタ２６と連動する点もほぼ実施例１のカメラ用セクタ駆動装置１と同様である。
【００２２】
一方、実施例２のカメラ用セクタ駆動装置２１は実施例１のカメラ用セクタ駆動装置１とは以下の点で相違する。
【００２３】
まず、図から明らかなように第一セクタ２６、第二セクタ２７の形状が実施例１の第一セクタ６、第二セクタ７と相違する。実施例１では、図３から明らかなように第二セクタ７の作動領域は嵌合凸部９と干渉していない。一方、本実施例の第一セクタ２６、第二セクタ２７の形状でシャッタ開口２２ａの開閉を行う場合、第二セクタ２７の作動領域が嵌合凸部２９と重なる部分が生じる。
【００２４】
そこで、実施例２のカメラ用セクタ駆動装置２１では、実施例１のカメラ用セクタ駆動装置１では取り付けていない抜け止め板２４を装着している。すなわち、図５、図６に示すように第一セクタ２６と第二セクタ２７との間に抜け止め板２４を介装し、基板２２に近い側から順に第一セクタ２６、抜け止め板２４、第二セクタ２７の順に重ね合わせて基板２２に取り付けている。この点、実施例２のカメラ用セクタ駆動装置２１は実施例１のカメラ用セクタ駆動装置１と相違する。
【００２５】
また、本実施例に用いるロータ２５は、図７に示すように嵌合凸部２９の周囲にセクタ載置台３２を備えている点も実施例１のカメラ用セクタ駆動装置１と相違する。
【００２６】
抜け止め板２４は図８に示すような形状をしており、このような抜け止め板２４を装着するとともに、図６に示すようにセクタ載置台３２上に第一セクタ２６及び抜け止め板２４を載置することにより抜け止め板２４の上面２４ａと嵌合凸部２９の上面とをほぼ面一状態として第二セクタ２７と嵌合凸部２９との干渉を回避することができる。
【００２７】
また、抜け止め板２４には突起部２４ｂが設けられている。この突起部２４ｂの上面２４ｂ１は、図６に示すように羽根押え板３１に当接する。これにより、嵌合凸部９と羽根押え板３１との間に隙間を形成されている。この隙間により第二セクタ２７が作動するためのスペースが確保されている。
【００２８】
さらに、突起部２４ｂの上面２４ｂ１が羽根押え板３１に当接することにより、第一セクタ２６、第二セクタ２７はロータ２５の軸方向の動きを規制し、ロータ２５からの脱落防止が図られている。
【実施例３】
【００２９】
次に、本発明の実施例３について説明する。実施例３が実施例１、実施例２と異なる点は、ロータの構成である。図９は、実施例３に用いるロータ３５の拡大斜視図であり、図１０は、図９におけるＡ−Ａ線で断面としたロータ３５の拡大断面図である。
【００３０】
実施例１のロータ５、実施例２のロータ２５はいずれもマグネット製の一体成形品であったが、このロータ３５は樹脂製の軸材３６の周囲に磁石３７を嵌着してインサート成形したものである。外形は回転軸３９ａと一体の嵌合凸部３９を有する点を含め、実施例１のロータ５、実施例２のロータ２５と異なるところはない。
【００３１】
ロータ３５は、基板２（２２）及び羽根押え板１１（３１）に軸支されて回動するものであるが、軸材３６を磁石３７とは別体とすることによって軸材３６の材質として加工性、耐摩耗性に優れる樹脂等の種々の素材を選定することができる。
【００３２】
なお、上記実施例は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。例えば、嵌合凸部９と嵌合する嵌合穴１０の形状は、嵌合凸部９の小判形の直線部に少なくとも係合できるようになっていればよく、実施例のように嵌合凸部９と嵌合穴１０の形状がほぼ同一である必要はない。また、このような嵌合凸部、嵌合穴の形状としては、例えば、小判形であったり、四角形、三角形であったり、ロータの回転（回動）に伴ってセクタを揺動させることのできる形状であれば、どのような形状であっても良い。
【図面の簡単な説明】
【００３３】
【図１】実施例１のカメラ用セクタ駆動装置の分解斜視図である。
【図２】図１に示すカメラ用セクタ駆動装置を構成するロータと第一セクタの拡大斜視図である。
【図３】組み立てた状態の示すカメラ用セクタ駆動装置から羽根押え板を取り去った状態の平面図である。
【図４】組み立てた状態のカメラ用セクタ駆動装置のロータ５部分の拡大断面図である。
【図５】実施例２のカメラ用セクタ駆動装置の分解斜視図である。
【図６】組み立てた状態の実施例２のカメラ用セクタ駆動装置の拡大断面図である。
【図７】実施例２のカメラ用セクタ駆動装置に用いるロータの拡大斜視図である。
【図８】実施例２のカメラ用セクタ駆動装置に用いる抜け止め板の拡大斜視図である。
【図９】実施例３のロータの拡大斜視図である。
【図１０】図９におけるＡ−Ａ断面図である。
【符号の説明】
【００３４】
１、２１  カメラ用セクタ駆動装置
２、２２  基板
２ａ、２２ａ  シャッタ開口
３、２３  ステータ
３ａ  コイル
４  環状平板
５、２５、３５  ロータ
５ａ、２９ａ、３９ａ  回転軸
６、２６  第一セクタ
７、２７  第二セクタ
８、２６ａ  ピン
９、２９、３９  嵌合凸部
１０、３０  嵌合穴
１１、３１  羽根押え板
１２  軸
１３  軸穴
１４  軸穴
２４  抜け止め板
３２  セクタ載置台
３６  軸材
３７  磁石
【図１】
2006058500.tif 000003
【図２】
2006058500.tif 000004
【図３】
2006058500.tif 000005
【図４】
2006058500.tif 000006
【図５】
2006058500.tif 000007
【図６】
2006058500.tif 000008
【図７】
2006058500.tif 000009
【図８】
2006058500.tif 000010
【図９】
2006058500.tif 000011
【図１０】
2006058500.tif 000012